(57)【要約】【課題】基盤に固定された棒状温度計によって温度を測ることができる機能のみならず、例えば、園芸用植物や野菜等を栽培するビニールハウス内あるいは温室内の温度管理や、オフィス等の室内の温度管理を行う際の目安温度を任意に設定して表示することができる機能をも有した寒暖計を提供する。【解決手段】アルコール封入ガラス棒温度計等の棒状温度計１が固定された基盤３に設けられている温度目盛２の任意の温度を指し示す指針４Ａ〜４Ｃが、基盤３に対して棒状温度計１の長さ方向に移動可能に取り付けられている。【選択図】図１
0003127408.tif 000002
【実用新案登録請求の範囲】
【請求項１】
棒状温度計がその温度目盛を設けた基盤に固定されている寒暖計において、前記温度目盛の任意の温度を指し示す指針が、前記基盤に対して前記棒状温度計の長さ方向に移動可能に取り付けられていることを特徴とする寒暖計。
【請求項２】
前記指針が、透明プラスチックで形成され、その針部の軸方向に沿って細い着色ラインが施されている請求項１記載の寒暖計。
【請求項３】
前記指針が、温度管理における目安温度の上限値および下限値を指し示すための上限指針および下限指針である請求項１又は２記載の寒暖計。
【請求項４】
前記棒状温度計を挟んでその片側に前記上限指針および下限指針が配置され、その反対側に前記目安温度の標準値を指し示すための標準指針が配置されている請求項３記載の寒暖計。
【請求項５】
前記基盤が、前記棒状温度計と平行な側端部に沿って前記指針を移動可能に取り付けるスリットが形成された扁平なプラスチックケースで成る請求項１、２、３又は４記載の寒暖計。
【考案の詳細な説明】
【技術分野】
【０００１】
本考案は、棒状温度計がその温度目盛を設けた基盤に固定されている寒暖計に関する。
【背景技術】
【０００２】
この種の寒暖計は、室内の壁などに設けたフックに引っ掛けて設置するためのフック孔が形成された縦長な木製の板やプラスチック製の板で成る基盤の表面に、アルコール封入ガラス棒温度計や水銀封入ガラス棒温度計等の棒状温度計とその温度目盛が設けられただけの簡易な構成のものが一般的であり、温度を測る機能を有するのみで、他に格別な機能は有していない。
【０００３】
ところで、園芸用植物や野菜などを栽培するビニールハウスや温室には、その内部の温度を植物の種類や生育状況等に応じて適正に管理するために寒暖計が設置されているが、寒暖計でビニールハウス内や温室内の温度を知ることができても、管理すべき温度が明示されていなければ、適正な温度管理を怠ることがある。
【０００４】
また、近時は、省エネを図るために、オフィスや一般家庭における室内の冷房温度を高めに設定したり、暖房温度を低めに設定することが推奨されているが、その室内に寒暖計が設置されていても、管理すべき室内の冷房温度や暖房温度が明示されていなければ、その冷暖房温度の管理を怠って、省エネ効果が得られないことが多い。
【０００５】
なお、園芸用植物の種が蒔かれたプランタや植木鉢の培土の地温を棒状温度計で測ってその園芸用植物の発芽温度を管理するために使用する地温計は、多くの植物の発芽温度が概ね２０℃前後であることから、温度目盛の２０℃の値を示す数字「２０」の色を、他の温度を示す数字とは異なる色にして、管理すべき発芽温度（地温）の目安値が２０℃であることを知らしめるようにしたものがあるが、園芸用植物の中には、例えばルピナスのように発芽温度が１０〜１５℃のものや、キュウリのように２５〜３０℃のものもあり、これらの植物について２０℃を目安とする温度管理を行えば、その管理を誤ることとなる。
【０００６】
そのため、本願の出願人は、図４の如く、表面コート紙で成る基盤４０の表面に、温度測定範囲１０℃〜４０℃の棒状温度計４１が接着剤で固定されると共に、その棒状温度計４１の温度目盛４２と、該温度目盛４２と対応する複数の温度範囲４３ａ〜４３ｄの中から栽培する植物の発芽温度と重複する温度範囲を選択してその選択した温度範囲に油性ペン等で印４４を付ける温度チェック欄４５とが設けられた地温計を提案した（特許文献１参照）が、この地温計は、温度範囲４３ａ〜４３ｄの中から油性ペンで印４４を付けて選択した温度範囲を変更する際に、その印４４を消去して、新たな印を油性ペンで付け直さなければならないという面倒があると同時に、予め設定されている温度範囲４３ａ〜４３ｄと異なる任意の温度範囲を設定することができないという不便があった。
【特許文献１】実用新案登録第３１１４４４０号公報
【０００７】
また、風呂の湯温を管理するために使用する湯温計は、湯面に浮かべるフロート型の基盤に、棒状温度計と温度目盛が設けられると共に、その温度目盛の一部に、予め設定された温めの温度、適温、熱め温度を示す色分け模様や、「ぬるめ」、「てきおん」、「あつめ」の文字等が印刷表示されているが、この湯温計も、任意の温度や温度範囲を設定することができる構成とはなっていない。
【考案の開示】
【考案が解決しようとする課題】
【０００８】
本考案は、温度を測る機能のみならず、例えば園芸用植物等を栽培する温室内の温度管理や、オフィス等の室内の温度管理における目安温度を任意に設定して表示することができる機能をも有した寒暖計を提供することを技術的課題としている。
【課題を解決するための手段】
【０００９】
上記課題を解決するために、本考案は、棒状温度計がその温度目盛を設けた基盤に固定されている寒暖計において、前記温度目盛の任意の温度を指し示す指針が、前記基盤に対して前記棒状温度計の長さ方向に移動可能に取り付けられていることを特徴とする。
【考案の効果】
【００１０】
本考案によれば、棒状温度計が固定された基盤に、棒状温度計の長さ方向に移動させてその温度目盛の任意の温度を指し示すことができる指針が取り付けられているから、その指針によって、様々な温度管理における目安温度を任意に設定して表示することができるという従来の寒暖計にない優れた効果がある。
【考案を実施するための最良の形態】
【００１１】
本考案の最良の実施形態は、アルコール封入ガラス棒温度計や水銀封入ガラス棒温度計等の棒状温度計が、その温度目盛を設けた基盤に固定される共に、該基盤に設けられた温度目盛の任意の温度を指し示す指針が、基盤に対して棒状温度計の長さ方向に移動可能に取り付けられている。
【００１２】
基盤に取り付けられた指針は、温度管理における目安温度の標準値を指し示すための標準指針と、その目安温度の上限値および下限値を指し示すための上限指針および下限指針とから成り、基盤に固定された棒状温度計を挟んでその片側に上限指針および下限指針が配置され、その反対側に標準指針が配置されている。また、各指針は、透明プラスチックで形成され、その針部の軸方向に沿って各指針ごとに色彩の異なる細い着色ラインが施されている。
【００１３】
また、基盤は、棒状温度計と平行な左右の側端部に沿って一対のスリットが形成された扁平な方形プラスチックケースで成り、その左右一方の側端部に形成されたスリットに、上限指針と下限指針が移動可能に取り付けられ、他方の側端部に形成されたスリットに、標準指針が移動可能に取り付けられている。
【実施例】
【００１４】
図１は本考案に係る寒暖計の一例を示す斜視図、図２はその寒暖計の分解図、図３はその寒暖計に設けた指針の拡大図である。
【００１５】
本例の寒暖計は、摂氏−３０℃〜５０℃の温度測定範囲を有するアルコール封入ガラス棒温度計で成る棒状温度計１が、その測定範囲に対応する温度目盛２を設けた基盤３の正面に固定されると共に、温度目盛２の任意の温度を指し示す複数の指針４Ａ、４Ｂおよび４Ｃが、基盤３に対して棒状温度計１の長さ方向に移動可能に取り付けられている。
【００１６】
基盤３は、プラスチックで成形された縦長方形の正面プレート５と背面プレート６とを互いに合体させて組み立てられる扁平なプラスチックケースで成り、棒状温度計１と平行な左右の側端部７Ｒ、７Ｌに沿って指針４Ａ〜４Ｃを移動可能に取り付けるスリット８が形成されている。なお、正面プレート５と背面プレート６とは、正面プレート５の内面に形成された複数のオス型突起（図示せず）と背面プレート６の内面に形成された複数のメス型突起９、９…とを互いに嵌合させて合体するように構成されている。また、正面プレート５の左右側端部には、背面プレート６と合体したときに該プレート６の左右側端部との間にスリット７を形成する隙間を生じさせる切欠き１０が設けられている。また、背面プレート６には、本例の寒暖計を室内の壁などに設けたフックに引っ掛けて設置するためのフック孔１６が形成されている。
【００１７】
各指針４Ａ〜４Ｃは、該指針と重なった温度目盛２が透視できるようにするため、透明プラスチックで形成され、その針体部１１の軸方向に沿って温度目盛２の温度を指し示す細い着色ライン１２Ａ〜１２Ｃが施されると共に、その基端部１３に、基盤３を形成する正面プレート５の切欠き１０が設けられた側端部に嵌る凹溝１４と、正面プレート５と合体させる背面プレート６の側端部に嵌る凹溝１５とが形成され、これら凹溝１４、１５により正面プレート５と背面プレート６との間にスライド自在に保持されて、その間に形成されたスリット８に沿って移動可能に取り付けられるようになっている。また、これら指針４Ａ〜４Ｃは、棒状温度計１を挟んでその片側に指針４Ａ、４Ｂが配置され、その反対側に指針４Ｃが配置されている。
【００１８】
棒状温度計１の片側に配置した指針４Ａ、４Ｂは、様々な温度管理における目安温度の上限値と下限値を指し示すための上限指針、下限指針として使用することができるもので、上限指針とする指針４Ａの針部１１には、着色ライン１２Ａの後端側に上限値であることを示す「ＭＡＸ」の文字が施され、下限指針とする指針４Ｂの針部１１には、着色ライン１２Ｂの後端側に下限値であることを示す「ＭＩＮ」の文字が施されている。なお、指針４Ａ、４Ｂの着色ライン１２Ａ、１２Ｂは、両者を区別するために、例えば前者が黄緑色もしくは緑色で施され、後者が青色で施されている。
【００１９】
また、棒状温度計１を挟んで指針４Ａ、４Ｂと反対側に配置した指針４Ｃは、温度管理における目安温度の標準値を指し示すための標準指針として使用することができるもので、その針部１１の着色ライン１２Ｃは、上限指針、下限指針として使用する指針４Ａ、４Ｂの着色ライン１２Ａ、１２Ｂと明確に区別するために、オレンジ色もしくは赤色等で施されている。
【００２０】
以上の如く構成される寒暖計は、各指針４Ａ〜４Ｃの基端部１３に形成された凹溝１４を正面プレート５の側端部に嵌め付けた状態で、該正面プレート５の内面に形成されたオス型突起と背面プレート６の内面に形成されたメス型突起９とを嵌合させて両プレート５および６を合体させるだけの簡単な加工により、扁平なプラスチックケースで成る基盤３の組み立てが完了すると同時に、各指針４Ａ〜４Ｃが、基盤３の側端部７Ｒ、７Ｌに形成されるスリット８に沿って棒状温度計１の長さ方向に移動可能に取り付けられるので、その取付コストが著しく低減される。
【００２１】
そして、例えば、ビニールハウスや温室における温度管理の目安温度が、１５℃〜２５℃であるときは、その目安温度の上限値を示す指針４Ａを温度目盛２の２５℃を指し示す位置へ移動させ、目安温度の下限値を示す指針４Ｂを温度目盛２の１５℃を指し示す位置へ移動させると共に、目安温度の標準値を示す指針４Ｃを温度目盛２の２０℃を指し示す位置へ移動させる。
【００２２】
これにより、実施例の寒暖計は、棒状温度計１でビニールハウス内や温室内の温度を測ることができるのみならず、栽培する植物の種類や育成状況等に応じた温度管理の適正な目安温度を任意に設定してその上限値および下限値と標準値を明示することにより、ビニールハウス内や温室内の温度管理を誤ったり、怠ったりすることを防止することもできる。
【００２３】
なお、実施例の基盤３には、温度管理における目安温度の上限値、下限値を指し示すための上限指針、下限指針となる指針４Ａ、４Ｂと、目安温度の標準値を指し示すための標準指針となる指針４Ｃとが取り付けられているが、指針４Ａ、４Ｂ又は指針４Ｃのいずれか一方のみが取り付けられてものであってもよい。
【産業上の利用可能性】
【００２４】
本考案は、棒状温度計がその温度目盛を設けた基盤に固定される寒暖計に、様々な温度管理における目安温度を任意に設定して表示することができる機能を付与し、その有用性の向上に資するものである。
【図面の簡単な説明】
【００２５】
【図１】本考案に係る寒暖計の一例を示す斜視図
【図２】図１に示す寒暖計の分解図
【図３】図１に示す寒暖計に設けられた指針の拡大図
【図４】従来の温度計を示す正面図
【符号の説明】
【００２６】
１    棒状温度計
２    温度目盛
３    基盤
４Ａ  指針（上限指針）
４Ｂ  指針（下限指針）
４Ｃ  指針（標準指針）
５    正面プレート
６    背面プレート
７Ｒ  基盤の側端部
７Ｌ  基盤の側端部
８    スリット
９    メス型突起
１０    切欠き
１１    指針の針部
１２Ａ  着色ライン
１２Ｂ  着色ライン
１２Ｃ  着色ライン
１３    指針の基端部
１４    凹溝
１５    凹溝
１６    フック孔
【図４】
0003127408.tif 000003
【図１】
0003127408.tif 000004
【図２】
0003127408.tif 000005
【図３】
0003127408.tif 000006